(57)【要約】【課題】操作スペースや設置スペースを抑制しつつ、誤操作を抑制することができ、操作性やメンテナンス性を向上させることができる電気温水器を提供する。【解決手段】本発明の貯湯式の電気温水器１は、この電気温水器の設定を電気的に操作可能にする電源系操作部２６と、給水系機能部８，１０，１６，１８，２０を操作可能にする給水系操作部２８と、を有し、電源系操作部及び給水系操作部のそれぞれは、ケーシング２４の前面２４ａに配置されていると共に、互いに上下方向に分割された状態で配置されており、ケーシングは、その前面に給水系操作部のみを隠蔽可能にするカバー部材４４を備えている。【選択図】図１
2019039651.tif 000002
【特許請求の範囲】
【請求項１】
貯湯した湯を適温な状態で供給可能にする貯湯式の電気温水器であって、
電力を供給する電源と、
給水源から給水された水が通水する通水路と、
この通水路から供給される水を貯えるタンクと、
このタンク内の水を電気的に加熱する電気式加熱部と、
上記通水路又は上記タンクを開閉する給水系機能部と、
上記通水路、上記タンク、上記電気式加熱部、及び、上記給水系機能部を外側から覆うケーシングと、
上記電気温水器の設定を操作可能にする操作部と、
この操作部の操作に応じて上記電気温水器の動作を制御する制御部と、を有し、
上記操作部は、上記電源から供給される電力を用いて上記電気温水器の設定を電気的に操作可能にする電源系操作部と、上記給水系機能部を操作可能にする給水系操作部と、を備え、
上記電源系操作部及び上記給水系操作部のそれぞれは、上記ケーシングの前面に配置されていると共に、互いに上下方向又は左右方向に分割された状態で配置されており、
上記ケーシングは、その前面に上記電源系操作部又は上記給水系操作部のいずれか一方のみを隠蔽可能にするカバー部材を備えていることを特徴とする電気温水器。
【請求項２】
上記給水系機能部は、上記タンクの上流側に接続される上記通水路を開閉する開閉弁を備え、
上記電源系操作部は、上記電源をオン又はオフのいずれかの状態に操作して上記電気式加熱部を操作可能にする電源スイッチと、上記開閉弁の開閉を電気的に操作して上記通水路から上記タンクへの給水を可能にするタンク給水用スイッチと、を備え、
上記タンク給水用スイッチは、上記電源スイッチに対して左右方向又は上下方向に並列して配置され、
上記電源スイッチは、その前面が上記ケーシングの前面よりも後方側に位置するように配置されている請求項１記載の電気温水器。
【請求項３】
さらに、上記電源スイッチよりも上記タンク給水用スイッチの方を先に操作すべきことを注意喚起する表示を有し、この表示は、上記タンク給水用スイッチの近傍に配置されている請求項２記載の電気温水器。
【請求項４】
上記電源スイッチは、上記タンク給水用スイッチの近傍に配置されており、
さらに、上記電源スイッチの前方を覆うように取り外し可能に設けられた貼付部材を有し、上記表示は、上記貼付部材の前面に配置されている請求項３記載の電気温水器。
【請求項５】
上記給水系機能部は、上記タンク内の水を抜く際に上記タンクへの吸気を可能にする吸気路と、上記タンクから供給された湯と上記通水路から供給された水とを混合する混合弁と、を備え、
上記給水系操作部は、上記混合弁を操作して上記電気温水器から供給される湯水の温度を調整可能にする温調ダイヤルと、上記吸気路の吸気操作を可能にする吸気栓と、を備え、
上記温調ダイヤル及び上記吸気栓のそれぞれは、その前面が上記ケーシングの前面よりも後方側に位置するように配置されている請求項１乃至４の何れか１項に記載の電気温水器。
【発明の詳細な説明】
【技術分野】
【０００１】
本発明は、電気温水器に係り、特に、貯湯した湯を適温な状態で供給可能にする貯湯式の電気温水器に関する。
【背景技術】
【０００２】
従来から、貯湯した湯を適温な状態で供給可能にする貯湯式の電気温水器として、例えば、特許文献１に記載されているように、筐体と、この筐体内に収容された熱媒体経路とを備えている。この熱媒体経路の途中には、循環ポンプ、水冷媒熱交換器、ヒータ、逃し弁、貯湯タンク、空気抜き弁、及び、圧力計がそれぞれ設けられている。
また、電気温水器の設定を操作可能にする操作部としては、リモコン等によって電気温水器の設定を電気的に操作可能にする電源系の操作部と、逃し弁や空気抜き弁等を操作可能にする給水系の操作部とを備えている。
さらに、この筐体には、これらの電源系の操作部と給水系の操作部との双方を覆うカバーが開閉可能に設けられている。
このようにリモコン等の電源系の操作部や給水系の操作部をカバーで覆うことにより、リモコンの誤操作や外的要因による破損を防ぐと共に、リモコンの耐久性を向上させることができるようになっている。
また、カバーによって、これらの電源系の操作部や給水系の操作部を覆った状態では、これらが使用者の目に触れないため、装置自体の美観性についても向上させることができるようになっている。
【先行技術文献】
【特許文献】
【０００３】
【特許文献１】特開２０１５−２０３５０９号公報
【発明の概要】
【発明が解決しようとする課題】
【０００４】
上述した従来の貯湯式の電気温水器においては、通常使用時には、これらの電源系の操作部と給水系の操作部との双方がカバーによって覆われた状態となっている。これにより、通常使用時に操作してはならない操作部については隠蔽することができ、操作部の誤操作による電気温水器の誤動作が行われないようになっている。
しかしながら、その反面、緊急停止等の緊急時の操作が必要となった場合には、電源系の操作部と給水系の操作部との双方がカバーによって隠蔽されている分だけ、電源系の操作部等へ操作対応が遅れる恐れがあるという問題もある。
また、電源系の操作部や給水系の操作部が互いに離れた位置にされると、電気温水器の操作スペースや設置スペースを要するため、誤操作を招く恐れがあるという問題もある。
例えば、電気温水器を設置場所に設置する施工時の初期において、電源系の操作部や給水系の操作部が互いに離れた位置にされると、空の状態の貯湯タンク内に給水が行われる前に、電源系の操作部を操作して電源を先にオンの状態にする誤操作となり、空の貯湯タンクがヒータにより空焚きされ、電気温水器の誤動作につながるという問題もある。
したがって、電源系の操作部や給水系の操作部について、いかに電気温水器の操作スペースや設置スペースを抑制しつつ、誤操作を抑制し、操作性やメンテナンス性を向上させるように配置するかが、要請された課題となっている。
【０００５】
そこで、本発明は、上述した従来技術の問題や要請された課題を解決するためになされたものであり、操作スペースや設置スペースを抑制しつつ、誤操作を抑制することができ、操作性やメンテナンス性を向上させることができる貯湯式の電気温水器を提供することを目的としている。
【課題を解決するための手段】
【０００６】
上述した課題を達成するために、本発明は、貯湯した湯を適温な状態で供給可能にする貯湯式の電気温水器であって、電力を供給する電源と、給水源から給水された水が通水する通水路と、この通水路から供給される水を貯えるタンクと、このタンク内の水を電気的に加熱する電気式加熱部と、上記通水路又は上記タンクを開閉する給水系機能部と、上記通水路、上記タンク、上記電気式加熱部、及び、上記給水系機能部を外側から覆うケーシングと、上記電気温水器の設定を操作可能にする操作部と、この操作部の操作に応じて上記電気温水器の動作を制御する制御部と、を有し、上記操作部は、上記電源から供給される電力を用いて上記電気温水器の設定を電気的に操作可能にする電源系操作部と、上記給水系機能部を操作可能にする給水系操作部と、を備え、上記電源系操作部及び上記給水系操作部のそれぞれは、上記ケーシングの前面に配置されていると共に、互いに上下方向又は左右方向に分割された状態で配置されており、上記ケーシングは、その前面に上記電源系操作部又は上記給水系操作部のいずれか一方のみを隠蔽可能にするカバー部材を備えていることを特徴としている。
このように構成された本発明においては、電源系操作部及び給水系操作部のそれぞれについて、ケーシングの前面に配置することができると共に、互いに上下方向又は左右方向に分割された状態で配置することができる。
したがって、電源系操作部及び給水系操作部をケーシングの前面に集約させることができるため、電気温水器の操作スペースや設置スペースを抑制することができる。これにより、電源系操作部や給水系操作部の操作性を向上させることができ、電気温水器のメンテナンス性も向上させることもできる。
さらに、電源系操作部又は給水系操作部のいずれか一方のみをカバー部材によって隠蔽することができる。これにより、例えば、通常使用時に操作してはならない操作部については隠蔽することができ、緊急停止等の緊急時に必ず操作すべき操作部についてはカバー部材を用いずに露出させることができる。
したがって、電源系操作部や給水系操作部の誤操作を防ぐことにより、電気温水器の誤動作を防ぐことができる。
また、電源系操作部又は給水系操作部のいずれか一方のみをカバー部材によって隠蔽することにより、ケーシングの外観等の意匠性も向上させることができる。
さらに、ケーシングの前面以外の領域において、電源系操作部や給水系操作部に要するスペースが不要となるため、電気温水器の設置スペースを抑制することができる。
【０００７】
本発明において、好ましくは、上記給水系機能部は、上記タンクの上流側に接続される上記通水路を開閉する開閉弁を備え、上記電源系操作部は、上記電源をオン又はオフのいずれかの状態に操作して上記電気式加熱部を操作可能にする電源スイッチと、上記開閉弁の開閉を電気的に操作して上記通水路から上記タンクへの給水を可能にするタンク給水用スイッチと、を備え、上記タンク給水用スイッチは、上記電源スイッチに対して左右方向又は上下方向に並列して配置され、上記電源スイッチは、その前面が上記ケーシングの前面よりも後方側に位置するように配置されている。
このように構成された本発明においては、タンク給水用スイッチが電源スイッチに対して左右方向又は上下方向に並列して配置されていることにより、施工者が電源スイッチを見た際に、タンク給水用スイッチの存在に気付くことができる。
したがって、施工初期において、施工者が電源スイッチを操作する前に確実にタンク給水用スイッチを優先的に操作することができる。よって、施工初期において、タンク給水用スイッチを操作して空のタンク内に給水が行われる前に、電源スイッチを先にオンの状態に操作して電気式加熱部がタンクを空焚きする誤動作を未然に防ぐことができる。
また、電源スイッチの前面が、ケーシングの前面よりも後方側に位置しているため、使用者が不注意に電源スイッチに接触して、意に反して電源がオン又はオフの状態に切り替わる誤動作を抑制することができる。
【０００８】
本発明において、好ましくは、さらに、上記電源スイッチよりも上記タンク給水用スイッチの方を先に操作すべきことを注意喚起する表示を有し、この表示は、上記タンク給水用スイッチの近傍に配置されている。
このように構成された本発明においては、電源スイッチよりもタンク給水用スイッチの方を先に操作すべきことを注意喚起する表示がタンク給水用スイッチの近傍に配置されているため、施工初期において、施工者がこのような表示に確実に気付くことができる。
したがって、施工初期において、施工者が電源スイッチを操作する前に確実にタンク給水用スイッチを優先的に操作することができるため、電源スイッチをタンク給水用スイッチよりも先に操作して、電気式加熱部がタンクを空焚きする誤動作を確実に防ぐことができる。
【０００９】
本発明において、好ましくは、上記電源スイッチは、上記タンク給水用スイッチの近傍に配置されており、
さらに、上記電源スイッチの前方を覆うように取り外し可能に設けられた貼付部材を有し、上記表示は、上記貼付部材の前面に配置されている。
このように構成された本発明においては、貼付部材が電源スイッチの前方を覆うように取り外し可能に設けられているため、電源スイッチを貼付部材で隠蔽することができる。
また、電源スイッチよりもタンク給水用スイッチの方を先に操作すべきことを注意喚起する表示が貼付部材の前面に配置されているため、施工初期において、施工者がこのような表示に確実に気付くことができる。
さらに、施工初期において、電源スイッチが貼付部材で隠蔽されているため、施工者は、タンク給水用スイッチよりも先に電源スイッチを操作する誤操作を防ぐことができる。よって、電気式加熱部がタンクを空焚きする誤動作を確実に防ぐことができる。
【００１０】
本発明において、好ましくは、上記給水系機能部は、上記タンク内の水を抜く際に上記タンクへの吸気を可能にする吸気路と、上記タンクから供給された湯と上記通水路から供給された水とを混合する混合弁と、を備え、上記給水系操作部は、上記混合弁を操作して上記電気温水器から供給される湯水の温度を調整可能にする温調ダイヤルと、上記吸気路の吸気操作を可能にする吸気栓と、を備え、上記温調ダイヤル及び上記吸気栓のそれぞれは、その前面が上記ケーシングの前面よりも後方側に位置するように配置されている。
このように構成された本発明においては、温調ダイヤル及び吸気栓のそれぞれの前面が、ケーシングの前面よりも後方側に位置しているため、給水系操作部の各部に対して、ケーシングの前面付近への落下物が接触したり、使用者の不注意により意に反して強い操作力で接触が行われたりすることを防ぐことができる。
したがって、使用者の意に反した強い操作力により、給水系操作部が破損することを防ぐことができる。
【発明の効果】
【００１１】
本発明の貯湯式の電気温水器によれば、操作スペースや設置スペースを抑制しつつ、誤操作を抑制することができ、操作性やメンテナンス性を向上させることができる。
【図面の簡単な説明】
【００１２】
【図１】本発明の第１実施形態による貯湯式電気温水器の概略斜視図である。
【図２】本発明の第１実施形態による貯湯式電気温水器の正面図である。
【図３】本発明の第１実施形態による貯湯式電気温水器の水路構成図である。
【図４】本発明の第１実施形態による貯湯式電気温水器の操作部の拡大正面図である。
【図５】本発明の第２実施形態による貯湯式電気温水器の概略斜視図である。
【発明を実施するための形態】
【００１３】
以下、添付図面を参照して本発明の第１実施形態による貯湯式電気温水器について説明する。
まず、図１は、本発明の第１実施形態による貯湯式電気温水器の概略斜視図である。つぎに、図２は、本発明の第１実施形態による貯湯式電気温水器の正面図である。また、図３は、本発明の第１実施形態による貯湯式電気温水器の水路構成図である。
まず、図１〜図３に示すように、本発明の第１実施形態による貯湯式電気温水器１は、電気温水器本体２と、この電気温水器本体２を操作可能にする操作部４とを備えている。
つぎに、図３に示すように、電気温水器本体２の内部には、通水路６、湯側電磁弁８、水側電磁弁１０、貯湯タンク１２、電気式ヒータ１４、湯水混合弁１６、吸気栓１８から内部に延びる吸気路２０、及び、制御ユニット２２がそれぞれ設けられている。
また、図１〜図３に示すように、電気温水器本体２は、これらの内部要素６〜２２の外側を覆うように設けられたケーシング２４を備えている。
さらに、図１〜図３に示すように、操作部４は、電気温水器１のいくつかの設定を操作可能にするものであり、詳細は後述する電源系操作部２６及び給水系操作部２８を備えている。
なお、ケーシング２４については、電気温水器１の設置場所の設置状況に応じて、壁面に固定してもよいし、床面に固定してもよい。
【００１４】
図３に示すように、通水路６は、その上流側が水道等の給水源（図示せず）に接続されており、この給水源（図示せず）から給水された水が通水するようになっており、通水路６の下流端は、適温にされた湯又は水の出口６ａとなっている。
また、図３に示すように、通水路６は、湯側通水路３０及び水側通水路３２をそれぞれ備えている。
湯側通水路３０は、タンク用通水路３０ａ及びタンクバイパス用通水路３０ｂを備えている。タンク用通水路３０ａは、貯湯タンク１２に接続され、タンクバイパス用通水路３０ｂは、貯湯タンク１２をバイパスして湯水混合弁１６に接続されている。
水側通水路３２は、通水路６の上流側で湯側通水路３０と独立に分岐した後、水側通水路３２の下流側で湯側通水路３０の下流側と再び合流するように接続されている。
さらに、湯側通水路３０及び水側通水路３２のそれぞれには、湯側電磁弁８及び水側電磁弁１０がそれぞれ設けられている。これらの電磁弁８，１０は、通水路３０，３２のそれぞれを開閉する開閉弁として機能し、給水系機能部の一部として機能している。
【００１５】
つぎに、図３に示すように、貯湯タンク１２は、タンク用通水路３０ａから給水された水を貯えるタンクである。
また、図３に示すように、電気式ヒータ１４は、貯湯タンク１２内に設けられている。この電気式ヒータ１４は、貯湯タンク１２内の水を電気的に加熱する電気式加熱部として機能するようになっている。
さらに、図３に示すように、湯水混合弁１６は、貯湯タンク１２の下流側のタンク用通水路３０ａの下流側とタンクバイパス用通水路３０ｂの下流側との接続部に設けられている。この湯水混合弁１６は、貯湯タンク１２の下流側の湯側通水路３０を開閉し、貯湯タンク１２から供給された湯とタンクバイパス用通水路３０ｂから供給された水とを混合する混合弁として機能し、給水系機能部の一部として機能している。
【００１６】
つぎに、図３に示すように、吸気路２０は、例えば、電気温水器１のメンテナンス時等において貯湯タンク１２内の水を抜く際に、吸気栓１８を開くことで貯湯タンク１２への吸気を可能にするものであり、貯湯タンク１２を開閉する給水系機能部の一部として機能している。
【００１７】
つぎに、図３に示すように、制御ユニット２２は、ケーシング２４内に設けられており、操作部４の操作に応じて電気温水器１の動作を制御する制御部として機能するようになっている。
【００１８】
つぎに、図１〜図４を参照して、本実施形態の貯湯式電気温水器１の操作部４の電源系操作部２６及び給水系操作部２８の詳細について説明する。
図４は、本発明の第１実施形態による貯湯式電気温水器の操作部の拡大正面図である。
まず、図１〜図４に示すように、操作部４の電源系操作部２６は、電源（図示せず）から供給される電力を用いて、電気温水器１の各部の作動に関する設定を電気的に操作可能にするものである。
具体的には、電源系操作部２６は、図４に示すように、電源スイッチ３４及びタンク給水用スイッチ３６を備えている。
電源スイッチ３４は、電源（図示せず）との接続状態をオン（図４に示す「入」）又はオフ（図４に示す「切」）のいずれかの状態に操作可能にするものである。
例えば、電源スイッチ３４がオン（図４に示す「入」）の状態では、電源（図示せず）から供給される電力により制御ユニット２２が作動するようになっている。そして、この制御ユニット２２からの電気信号により電気式ヒータ１４が作動し、貯湯タンク１２内が加熱されるようになっている。
なお、本実施形態では、電気スイッチ３４として、いわゆる、「シーソースイッチ」等の機械スイッチ式が採用されているが、「シーソースイッチ」以外の他の形態の機械スイッチ式（例えば、押しボタンスイッチ等）が採用されてもよい。
【００１９】
一方、タンク給水用スイッチ３６は、押しボタンスイッチ等が採用されている。特に、電気温水器１を設置場所に設置した施工初期において、施工者がタンク給水用スイッチ３６を押すことにより、電気的な信号が湯側電磁弁８に送信されて、湯側電磁弁８の開閉が電気的に操作され、湯側通水路３０からタンク用通水路３０ａを経て貯湯タンク１２への給水が行われるようになっている。
なお、本実施形態では、タンク給水用スイッチ３６としては、押しボタンスイッチ以外にも、他の形態のスイッチが採用されてもよい。
【００２０】
つぎに、図４に示すように、タンク給水用スイッチ３６は、電源スイッチ３４に対して左右方向の近傍に並列して配置されている。
また、図４に示すように、電源スイッチ３４及びタンク給水用スイッチ３６のそれぞれの前面３４ａ，３６ａ全体は、ケーシング２４の前面２４ａよりも後方側（ケーシング２４の前方から見て奥側）に位置するように配置されている。
なお、本実施形態では、タンク給水用スイッチ３６が電源スイッチ３４に対して左右方向の近傍に並列して配置されている形態について説明するが、このような形態に限られず、タンク給水用スイッチ３６が電源スイッチ３４に対して上下方向に並列して配置されている形態であってもよい。
【００２１】
つぎに、図１〜図４に示すように、操作部４の給水系操作部２８は、上述した給水系機能部である湯水混合弁１６、吸気栓１８、吸気路２０のそれぞれを操作可能にするものである。
具体的には、給水系操作部２８は、図４に示すように、温調ダイヤル３８及び吸気栓１８をそれぞれ備えている。
図３及び図４に示すように、温調ダイヤル３８は、湯水混合弁１６を操作して電気温水器１の通水路６の出口６ａから供給される湯水の温度を調整可能にするものである。例えば、図４に示すように、温調ダイヤル３８を高温側（図４に示す「高」）又は低温側（図４に示す「低」）のいずれかの方向に回転させることにより、貯湯ユニット１２から供給される湯とタンクバイパス用通水路３０ｂから供給される水とが混合される割合が湯水混合弁１６により調整され、電気温水器１の通水路６の出口６ａから供給される湯水の温度が調整されるようになっている。
さらに、図３及び図４に示すように、吸気栓１８は、吸気路２０の吸気操作を可能にするものである。例えば、電気温水器１のメンテナンス時等において、吸気栓１８を操作することにより、吸気路２０が開放されて、貯湯タンク１２内への吸気が行われ、貯湯タンク１２の水抜きが可能となっている。
【００２２】
また、図４に示すように、温調ダイヤル３８及び吸気栓１８は、それぞれの前面３８ａ，１８ａがケーシング２４の前面２４ａよりも後方側（ケーシング２４の前方から見て奥側）に位置するように配置されている。
【００２３】
つぎに、図１、図２及び図４に示すように、電源系操作部２６及び給水系操作部２８のそれぞれは、ケーシング２４の前面２４ａに配置されていると共に、互いに上下方向に分割された状態で配置されている。
また、ケーシング２４は、その前面２４ａに給水系操作部２８のみを隠蔽可能にするカバー部材４４を備えている。このカバー部材４４は、ケーシング２４の前面２４ａに対して着脱可能となっている。
なお、本実施形態では、電源系操作部２６及び給水系操作部２８のそれぞれについては、互いに上下方向に分割された状態で配置されている形態について説明するが、このような形態に限られず、両者２６，２８が互いに左右方向に分割された状態で配置されていてもよい。
また、本実施形態では、カバー部材４４が給水系操作部２８のみを隠蔽可能にする形態について説明するが、カバー部材が電源系操作部２６のみを隠蔽可能にする形態であってもよい。
【００２４】
つぎに、図１、図２及び図４に示すように、本実施形態の貯湯式電気温水器１は、さらに、電源スイッチ３４のみを前方から覆う貼付部材４６を備えている。この貼付部材４６は、電源スイッチ３４に対して取り外し可能に取り付けられている。
また、この貼付部材４６の前面には、電源スイッチ３４よりもタンク給水用スイッチ３６の方を先に操作すべきことを注意喚起する表示４８が設けられている。例えば、この表示４８には、「空焚き注意！先にタンクに給水して下さい」等の文言が記されている。
なお、本実施形態では、電源スイッチ３４のみを前方から覆う貼付部材４６が電源スイッチ３４に対して取り外し可能に取り付けられた形態について説明するが、貼付部材４６については省略した形態であってもよい。
また、貼付部材４６を省略した場合には、表示４８については、タンク給水用スイッチ３６の近傍等に配置すればよい。
【００２５】
つぎに、図１〜図４を参照して、本発明の第１実施形態による貯湯式電気温水器１の作用について説明する。
上述した本発明の第１実施形態による貯湯式電気温水器１によれば、電源系操作部２６及び給水系操作部２８のそれぞれについて、ケーシング２４の前面２４ａに配置することができると共に、互いに上下方向に分割された状態で配置することができる。
したがって、電源系操作部２６及び給水系操作部２８をケーシング２４の前面２４ａに集約させることができるため、電気温水器１の操作スペースや設置スペースを抑制することができる。これにより、電源系操作部２６や給水系操作部２８の操作性を向上させることができ、電気温水器１のメンテナンス性も向上させることもできる。
さらに、給水系操作部２８のみをカバー部材４４によって隠蔽することができる。これにより、例えば、通常使用時に操作してはならない給水系操作部２８については隠蔽することができ、緊急停止等の緊急時に必ず操作すべき電源系操作部２６についてはカバー部材４４を用いずに露出させることができる。
したがって、電源系操作部２６や給水系操作部２８の誤操作を防ぐことにより、電気温水器１の誤動作を防ぐことができる。
また、給水系操作部２８のみをカバー部材４４によって隠蔽することにより、ケーシング２４の外観等の意匠性も向上させることができる。
さらに、ケーシング２４の前面２４ａ以外の領域において、電源系操作部２６や給水系操作部２８に要するスペースが不要となるため、電気温水器１の設置スペースを抑制することができる。
【００２６】
また、本実施形態の貯湯式電気温水器１によれば、タンク給水用スイッチ３６が電源スイッチ３４に対して左右方向に並列して配置されていることにより、施工者が電源スイッチ３４を見た際に、タンク給水用スイッチ３６の存在に気付くことができる。
したがって、施工初期において、施工者が電源スイッチ３４を操作する前に確実にタンク給水用スイッチ３６を優先的に操作することができる。よって、施工初期において、タンク給水用スイッチ３６を操作して空の貯湯タンク１２内に給水が行われる前に、電源スイッチ３４を先にオンの状態に操作して電気式ヒータ１４が貯湯タンク１２を空焚きする誤動作を未然に防ぐことができる。
また、電源スイッチ３４の前面３４ａが、ケーシング２４の前面２４ａよりも後方側（ケーシング２４の前方から見て奥側）に位置しているため、使用者が不注意に電源スイッチ３４に接触して、意に反して電源（図示せず）がオン又はオフの状態に切り替わる誤動作を抑制することができる。
さらに、タンク給水用スイッチ３６の前面３６ａについても、ケーシング２４の前面２４ａよりも後方側（ケーシング２４の前方から見て奥側）に位置しているため、使用者が不注意にタンク給水用スイッチ３６に接触して、意に反してタンク給水用スイッチ３６が切り替わる誤作動についても抑制することができる。
【００２７】
さらに、本実施形態の貯湯式電気温水器１によれば、電源スイッチ３４よりもタンク給水用スイッチ３６の方を先に操作すべきことを注意喚起する表示４８がタンク給水用スイッチ３６の近傍に配置されているため、施工初期において、施工者がこのような表示４８に確実に気付くことができる。
したがって、施工初期において、施工者が電源スイッチ３４を操作する前に確実にタンク給水用スイッチ３６を優先的に操作することができるため、電源スイッチ３４をタンク給水用スイッチ３６よりも先に操作して、電気式ヒータ１４が貯湯タンク１２を空焚きする誤動作を確実に防ぐことができる。
【００２８】
また、本実施形態の貯湯式電気温水器１によれば、貼付部材４６が電源スイッチ３４の前方を覆うように取り外し可能に設けられているため、電源スイッチ３４を貼付部材４６で隠蔽することができる。
また、電源スイッチ３４よりもタンク給水用スイッチ３６の方を先に操作すべきことを注意喚起する表示４８が、貼付部材４６の前面に配置されているため、施工初期において、施工者がこのような表示４８に確実に気付くことができる。
さらに、施工初期において、電源スイッチ３４が貼付部材４６で隠蔽されているため、施工者は、タンク給水用スイッチ３６よりも先に電源スイッチ３４を操作する誤操作を防ぐことができる。よって、電気式ヒータ１４が貯湯タンク１２を空焚きする誤動作を確実に防ぐことができる。
【００２９】
さらに、本実施形態の貯湯式電気温水器１によれば、温調ダイヤル３８及び吸気栓１８のそれぞれの前面３８ａ，１８ａが、ケーシング２４の前面２４ａよりも後方側（ケーシング２４の前方から見て奥側）に位置している。これにより、給水系操作部２８の各部に対して、ケーシング２４の前面２４ａ付近への落下物が接触したり、使用者の不注意により意に反して強い操作力での接触が行われたりすることを防ぐことができる。
したがって、使用者の意に反した強い操作力により、給水系操作部２８の各部が破損することを防ぐことができる。
【００３０】
つぎに、図５を参照して、本発明の第２実施形態による貯湯式電気温水器について説明する。
図５は、本発明の第２実施形態による貯湯式電気温水器の概略斜視図である。
ここで、図５に示す本発明の第２実施形態による貯湯式電気温水器１００において、上述した本発明の第２実施形態による貯湯式電気温水器１の部分と同一部分について同一の符号を付し、それらの説明については省略する。
まず、図５に示すように、本発明の第２実施形態による貯湯式電気温水器１００においては、電源系操作部１２６の電源スイッチ１３４及びタンク給水用スイッチ１３６のそれぞれが、電子スイッチ式を採用している点で、機械スイッチ式を採用している第１実施形態の電源系操作部２６の電源スイッチ３４及びタンク給水用スイッチ３６とは異なっている。
また、本実施形態では、第１実施形態と同様に、各タンク給水用スイッチ１３６は、電源スイッチ１３４に対して左右方向の近傍に並列して配置されている。さらに、電源スイッチ１３４及びタンク給水用スイッチ１３６のそれぞれの前面全体が、ケーシング２４の前面２４ａよりも後方側（ケーシング２４の前方から見て奥側）に位置するように配置されている。
【００３１】
上述した本発明の第２実施形態による貯湯式電気温水器１００によれば、電源系操作部１２６及び給水系操作部２８をケーシング２４の前面２４ａに集約させることができる。  したがって、電気温水器１００の操作スペースや設置スペースを抑制することができるため、電源系操作部１２６や給水系操作部２８の操作性を向上させることができ、電気温水器１００のメンテナンス性も向上させることもできる。
さらに、電源スイッチ１３４及びタンク給水用スイッチ１３６のそれぞれの前面全体が、ケーシング２４の前面２４ａよりも後方側（ケーシング２４の前方から見て奥側）に位置するように配置されているため、使用者が不注意に電源スイッチ１３４やタンク給水用スイッチ１３６に接触して、意に反する誤操作による電気温水器１００の誤動作を抑制することができる。
【００３２】
なお、上述した本発明の第１実施形態による貯湯式電気温水器１及び第２実施形態による貯湯式電気温水器１００においては、貯湯タンク１２の上流側（一次側）の湯側電磁弁８を操作することにより止水可能な、いわゆる、「元止め式」を採用した形態について説明したが、他の形態についても採用可能である。
すなわち、他の形態として、貯湯タンク１２の下流側（二次側）において、開閉弁等を操作することにより止水可能な、いわゆる、「先止め式」を採用した形態であってもよい。このような「先止め式」を採用した場合には、例えば、貯湯タンク１２に逃し弁を設けると共に、操作部４に逃し弁を手動で操作する逃し弁レバーを設けてもよい。これにより、逃し弁の弁体の固着などによる、逃し弁の動作不良時には、逃し弁レバーを操作することにより、逃し弁の弁体を開弁させ、逃し弁の動作不良を解消できるようにしてもよい。
【符号の説明】
【００３３】
１    本発明の第１実施形態による貯湯式電気温水器
２    電気温水器本体
４    操作部
６    通水路
６ａ  出口
８    湯側電磁弁（給水系機能部、開閉弁）
１０    水側電磁弁（給水系機能部、開閉弁）
１２    貯湯タンク（タンク）
１４    電気式ヒータ（電気式加熱部）
１６    湯水混合弁（給水系機能部、混合弁）
１８    吸気栓
１８ａ  吸気栓の前面
２０    吸気路（給水系機能部）
２２    制御ユニット（制御部）
２４    ケーシング
２４ａ  ケーシングの前面
２６    電源系操作部
２８    給水系操作部
３０    湯側通水路
３０ａ  タンク用通水路
３０ｂ  タンクバイパス用通水路
３２    水側通水路
３４    電源スイッチ
３４ａ  電源スイッチの前面
３６    タンク給水用スイッチ
３６ａ  タンク給水用スイッチの前面
３８    温調ダイヤル
３８ａ  温調ダイヤルの前面
４４    カバー部材
４６    貼付部材
４８    表示
１００    本発明の第２実施形態による貯湯式電気温水器
１２６    電源系操作部
１３４    電源スイッチ
１３６    タンク給水用スイッチ
【図１】
2019039651.tif 000003
【図２】
2019039651.tif 000004
【図３】
2019039651.tif 000005
【図４】
2019039651.tif 000006
【図５】
2019039651.tif 000007